(57)【要約】【課題】減衰特性を向上しつつ小型化を図ることのできるラインフィルタを提供することを目的としている。【解決手段】閉磁路磁芯１７には、一磁脚部２０と対向する側に他磁脚部２１を設けるとともに、一磁脚部２０及び他磁脚部２１と連接する１対の連接磁脚部２２を設け、この一磁脚部２０の断面形状は八角形状にするとともに、一磁脚部２０の断面形状に対応する各々の外周面の幅寸法（Ｗ３）の他磁脚部２１及び連接磁脚部２２の厚み寸法（Ｈ）とを略同等にし、特に、一磁脚部２０の径寸法（Ｌ１）と他磁脚部２１及び連接磁脚部２２の幅寸法（Ｗ４）とを略同等にするとともに、一磁脚部２０の最外周部から他磁脚部２１までの距離（Ｌ２）は一磁脚部２０の径寸法（Ｌ１）よりもわずかながら小さくしている。【選択図】  図１
2004221340.tif 000002
【特許請求の範囲】
【請求項１】
中心軸部に貫通孔を有するボビンと、前記ボビンに巻回した一方の巻線及び他方の巻線と、前記貫通孔に一磁脚部を挿入した閉磁路磁芯と、前記ボビン及び前記閉磁路磁芯を支持固定する端子台と、前記端子台に植設し、一方の前記巻線及び他方の前記巻線と接続した端子とを備え、前記閉磁路磁芯は、前記一磁脚部と対向する側に他磁脚部を設けるとともに、前記一磁脚部及び前記他磁脚部と連接する１対の連接磁脚部を設け、前記一磁脚部の径寸法と前記他磁脚部及び前記連接磁脚部の幅寸法とを略同等にするとともに、前記一磁脚部の最外周部から前記他磁脚部までの距離を前記一磁脚部の径寸法よりも小さくしたラインフィルタ。
【請求項２】
一磁脚部の断面形状は五角形以上の多角形状にするとともに、前記一磁脚部の断面形状に対応する各々の外周面の幅寸法と前記他磁脚部及び前記連接磁脚部の厚み寸法とを略同等にした請求項１記載のラインフィルタ。
【請求項３】
断面形状は八角形状とした請求項１記載のラインフィルタ。
【請求項４】
ボビンには、中央部に一方の巻線と他方の巻線とを分割する中鍔を設けるとともに、一方の前記巻線及び他方の前記巻線を各々２つ以上に分割する分割鍔を設けており、前記分割鍔の幅は、各々２つ以上に分割された一方の前記巻線または他方の前記巻線の巻線幅と略同等にした請求項１記載のラインフィルタ。
【請求項５】
分割鍔の中央部に空間を設けた請求項１記載のラインフィルタ。
【請求項６】
空間には、ボビンの材質よりも誘電率の小さい材料を充填した請求項４記載のラインフィルタ。
【請求項７】
分割鍔には、テーパ部を設けた請求項４記載のラインフィルタ。
【発明の詳細な説明】
【０００１】
【発明の属する技術分野】
本発明は、各種電子機器等に使用するラインフィルタに関するものである。
【０００２】
【従来の技術】
以下、従来のラインフィルタについて図面を参照しながら説明する。
【０００３】
図１９は従来のラインフィルタの斜視図、図２０は同ラインフィルタの分解斜視図である。
【０００４】
図１９、図２０において、従来のラインフィルタは、中心軸部に貫通孔を有するボビン１と、このボビン１に巻回した一方の巻線２及び他方の巻線３と、貫通孔に一磁脚部を挿入した閉磁路磁芯４と、ボビン１及び閉磁路磁芯４を支持固定する端子台５と、この端子台５に植設し、一方の巻線２及び他方の巻線３と接続した端子６とを備えている。
【０００５】
ボビン１には、中央部に一方の巻線２と他方の巻線３とを分割する中鍔７を設けるとともに、一方の巻線２及び他方の巻線３を各々２つ以上に分割する分割鍔８を設けている。この中鍔７は、一方の巻線２と他方の巻線３とが互いに短絡しない程度の厚さを有しており、分割鍔８は、短絡の可能性がないので、中鍔７よりもはるかに薄い１／５程度の厚さとしている。
【０００６】
また、閉磁路磁芯４は、一磁脚部の断面形状が正四角形状であって、他磁脚部及び連接磁脚部も一磁脚部と同等の形状としたものである。
【０００７】
このとき、減衰特性は図２１に示すようになる。
【０００８】
なお、この出願の発明に関連する先行技術文献情報としては、例えば、特許文献１が知られている。
【０００９】
【特許文献１】
特開２０００−１５０２４３号公報
【００１０】
【発明が解決しようとする課題】
上記従来の構成では、閉磁路磁芯４の形状やボビン１の形状に起因して、減衰特性を向上しつつ小型化を図ることができないという問題点を有していた。
【００１１】
本発明は上記問題点を解決するものであり、閉磁路磁芯の形状やボビンの形状等を改良することにより、減衰特性を向上しつつ小型化を図ることのできるラインフィルタを提供することを目的としている。
【００１２】
【課題を解決するための手段】
上記目的を達成するために本発明は以下の構成を有する。
【００１３】
本発明の請求項１記載の発明は、特に、前記閉磁路磁芯は、前記一磁脚部と対向する側に他磁脚部を設けるとともに、前記一磁脚部及び前記他磁脚部と連接する１対の連接磁脚部を設け、前記一磁脚部の径寸法と前記他磁脚部及び前記連接磁脚部の幅寸法とを略同等にするとともに、前記一磁脚部の最外周部から前記他磁脚部までの距離を前記一磁脚部の径寸法よりも小さくした構成である。
【００１４】
上記構成により、磁路長を短くし、共振部分よりも低域側の減衰特性を向上できるとともに、小型化が図れる。
【００１５】
本発明の請求項２記載の発明は、特に、一磁脚部の断面形状は五角形以上の多角形状にするとともに、前記一磁脚部の断面形状に対応する各々の外周面の幅寸法と他磁脚部及び連接磁脚部の厚み寸法とを略同等にした構成である。
【００１６】
上記構成により、一磁脚部の断面形状は五角形以上の多角形状なので、貫通孔の内壁と一磁脚部との間のギャップを減少させることができ、結合度を向上させることができる。
【００１７】
また、一磁脚部の断面形状に対応する各々の外周面の幅寸法と他磁脚部及び連接磁脚部の厚み寸法とを略同等にしているので、他磁脚部及び連接磁脚部の厚みを薄くでき、小型化が図れる。
【００１８】
本発明の請求項３記載の発明は、特に、断面形状は八角形状とした構成である。
【００１９】
上記構成により、特性劣化を生じさせずに小型化が図れる。
【００２０】
本発明の請求項４記載の発明は、特に、ボビンには、中央部に一方の巻線と他方の巻線とを分割する中鍔を設けるとともに、一方の前記巻線及び他方の前記巻線を各々２つ以上に分割する分割鍔を設けており、前記分割鍔の幅は、各々２つ以上に分割された一方の前記巻線または他方の前記巻線の巻線幅と略同等にした構成である。
【００２１】
上記構成により、分割鍔の幅は、各々２つ以上に分割された一方の巻線または他方の巻線の巻線幅と略同等なので、一方の巻線における分布容量及び他方の巻線における分布容量を低減でき、減衰特性曲線において、共振部分よりも高域側の減衰特性を向上することができる。
【００２２】
本発明の請求項５記載の発明は、特に、分割鍔の中央部に空間を設けた構成である。
【００２３】
上記構成により、空間には空気が満たされており、一般に空気の誘電率はボビンの材質の誘電率よりも小さいので、共振部分よりも高域側の減衰特性をより向上できる。
【００２４】
本発明の請求項６記載の発明は、特に、空間には、ボビンの材質よりも誘電率の小さい材料を充填した構成である。
【００２５】
上記構成により、空間には、ボビンの材質よりも誘電率の小さい材料を充填しているので、共振部分よりも高域側の減衰特性をより向上できる。
【００２６】
本発明の請求項７記載の発明は、特に、分割鍔には、テーパ部を設けた構成である。
【００２７】
上記構成により、分割鍔にはテーパ部を設けているので、一方の巻線及び他方の巻線の巻回が容易になる。
【００２８】
【発明の実施の形態】
以下、一実施の形態を用いて、本発明の全請求項に記載の発明について図面を参照しながら説明する。
【００２９】
図１は本発明の一実施の形態におけるラインフィルタの正面図、図２は同斜視図、図３は同側面断面図、図４は同巻線前の分解斜視図、図５は同要部であるボビンの斜視図、図６は同要部であるボビンの平面図、図７は同要部であるボビンの正面図、図８は同要部である閉磁路磁芯の正面図、図９は同要部である閉磁路磁芯の断面図である。
【００３０】
図１〜図９において、本発明の一実施の形態におけるラインフィルタは、中心軸部に貫通孔を有するボビン１１と、このボビン１１に巻回した一方の巻線１２及び他方の巻線１３と、貫通孔に一磁脚部２０を挿入するとともに、角部を面取りした（Ｒ）を有する閉磁路磁芯１７と、ボビン１１及び閉磁路磁芯１７を支持固定する端子台１８と、この端子台１８に植設し、一方の巻線１２及び他方の巻線１３と接続した端子１９とを備えている。
【００３１】
また、ボビン１１には、中央部に一方の巻線１２と他方の巻線１３とを分割する中鍔１４を設けるとともに、一方の巻線１２及び他方の巻線１３を各々２つ以上に分割する分割鍔１５を設けている。この分割鍔１５の幅（Ｗ１）は、各々２つ以上に分割された一方の巻線１２または他方の巻線１３の巻線幅（Ｗ２）と略同等にしている。さらに、分割鍔１５は、２つ以上に分割された一方の巻線１２及び他方の巻線１３をそれぞれ移送するための溝部２３を有するとともに、この溝部２３と接する端部にテーパ部２４を設けている。
【００３２】
特に、分割鍔１５の中央部には空間１６を設け、この空間１６には、ボビン１１の材質よりも誘電率の小さい材料を充填するか、または、何も充填せずに空気で満たされるようにしている。
【００３３】
さらに、図８、図９に示すように、閉磁路磁芯１７には、一磁脚部２０と対向する側に他磁脚部２１を設けるとともに、一磁脚部２０及び他磁脚部２１と連接する１対の連接磁脚部２２を設け、この一磁脚部２０の断面形状は八角形状にするとともに、一磁脚部２０の断面形状に対応する各々の外周面の幅寸法（Ｗ３）と他磁脚部２１及び連接磁脚部２２の厚み寸法（Ｈ）とを略同等にしている。
【００３４】
特に、一磁脚部２０の径寸法（Ｌ１）と他磁脚部２１及び連接磁脚部２２の幅寸法（Ｗ４）とを略同等にするとともに、一磁脚部２０の最外周部から他磁脚部２１までの距離（Ｌ２）は一磁脚部２０の径寸法（Ｌ１）よりもわずかながら小さくしている。
【００３５】
このようなラインフィルタの減衰特性曲線図は図１０に示すようになる。
【００３６】
上記構成のラインフィルタについて、以下その動作を説明する。
【００３７】
上記構成により、分割鍔１５の幅（Ｗ１）は、各々２つ以上に分割された一方の巻線１２または他方の巻線１３の巻線幅（Ｗ２）と略同等なので、一方の巻線１２における分布容量及び他方の巻線１３における分布容量を低減でき、減衰特性曲線において、共振部分よりも高域側の減衰特性を向上することができる。
【００３８】
特に、空間１６には空気を満たす、または、ボビン１１の材質よりも誘電率の小さい材料を充填するので、分割鍔１５の誘電率はボビン１１の材質の誘電率よりも小さくなり、共振部分よりも高域側の減衰特性をより向上できる。
【００３９】
さらに、一磁脚部２０の断面形状は八角形状なので、貫通孔の内壁と一磁脚部２０との間のギャップを減少させ、結合度を向上させることができるとともに、一磁脚部２０の断面形状に対応する各々の外周面の幅寸法（Ｗ３）と他磁脚部２１及び連接磁脚部２２の厚み寸法（Ｈ）とを略同等にしているので、他磁脚部２１及び連接磁脚部２２の厚みを薄くでき、小型化が図れる。すなわち、特性劣化を生じさせずに小型化が図れる。
【００４０】
特に、一磁脚部２０の径寸法（Ｌ１）と他磁脚部２１及び連接磁脚部２２の幅寸法（Ｗ４）とを略同等にするとともに、一磁脚部２０の最外周部から他磁脚部２１までの距離（Ｌ２）は一磁脚部２０の径寸法（Ｌ１）よりも小さくしているので、磁路長を短くし、共振部分よりも低域側の減衰特性を向上できるとともに、小型化が図れる。
【００４１】
このように本発明の一実施の形態によれば、減衰特性曲線において、共振部分よりも高域側の減衰特性を向上できるとともに、小型化を図ることができる。
【００４２】
なお、本発明の一実施の形態では、閉磁路磁芯の一磁脚部２０の断面形状を八角形状にしたが、五角形状以上の多角形状であればよい。多角形の変形した形状として、多角の一部が円や楕円形状になってもよい。
【００４３】
さらに、図１１〜図１８に示すように、分割鍔１５に種々の形状のテーパ部２４を設ければ、一方の巻線１２及び他方の巻線１３の移送が容易になる。
【００４４】
【発明の効果】
以上のように本発明によれば、一磁脚部の断面形状は五角形以上の多角形状なので、貫通孔の内壁と一磁脚部との間のギャップを減少させることができ、結合度を向上させることができる。
【００４５】
また、一磁脚部の断面形状に対応する各々の外周面の幅寸法と他磁脚部及び連接磁脚部の厚み寸法とを略同等にしているので、他磁脚部及び連接磁脚部の厚みを薄くでき、小型化が図れる。
【００４６】
この結果、特性劣化を抑制しつつ小型化を図れ、減衰特性曲線において、共振部分よりも高域側の減衰特性を向上したラインフィルタを提供することができる。
【図面の簡単な説明】
【図１】本発明の一実施の形態におけるラインフィルタの正面図
【図２】同斜視図
【図３】同側面断面図
【図４】同巻線前の分解斜視図
【図５】同要部であるボビンの斜視図
【図６】同要部であるボビンの平面図
【図７】同要部であるボビンの正面図
【図８】同要部である閉磁路磁芯の正面図
【図９】同要部である閉磁路磁芯の断面図
【図１０】同減衰特性曲線図
【図１１】本発明の他の実施の形態におけるラインフィルタの要部であるボビンの正面図
【図１２】同要部であるボビンの中鍔近傍の拡大図
【図１３】本発明の他の実施の形態におけるラインフィルタの要部であるボビンの正面図
【図１４】同要部であるボビンの中鍔近傍の拡大図
【図１５】本発明の他の実施の形態におけるラインフィルタの要部であるボビンの正面図
【図１６】同要部であるボビンの中鍔近傍の拡大図
【図１７】本発明の他の実施の形態におけるラインフィルタの要部であるボビンの正面図
【図１８】同要部であるボビンの中鍔近傍の拡大図
【図１９】従来のラインフィルタの斜視図
【図２０】同分解斜視図
【図２１】同減衰特性曲線図
【符号の説明】
１１  ボビン
１２  一方の巻線
１３  他方の巻線
１４  中鍔
１５  分割鍔
１６  空間
１７  閉磁路磁芯
１８  端子台
１９  端子
２０  一磁脚部
２１  他磁脚部
２２  連接磁脚部
２３  溝部
２４  テーパ部
【図１】
2004221340.tif 000003
【図２】
2004221340.tif 000004
【図３】
2004221340.tif 000005
【図４】
2004221340.tif 000006
【図５】
2004221340.tif 000007
【図６】
2004221340.tif 000008
【図７】
2004221340.tif 000009
【図８】
2004221340.tif 000010
【図９】
2004221340.tif 000011
【図１０】
2004221340.tif 000012
【図１１】
2004221340.tif 000013
【図１２】
2004221340.tif 000014
【図１３】
2004221340.tif 000015
【図１４】
2004221340.tif 000016
【図１５】
2004221340.tif 000017
【図１６】
2004221340.tif 000018
【図１７】
2004221340.tif 000019
【図１８】
2004221340.tif 000020
【図１９】
2004221340.tif 000021
【図２０】
2004221340.tif 000022
【図２１】
2004221340.tif 000023